(57)【要約】  【課題】信号の検出および測定画像の表示までに時間を要しているようなケースにおいても、ユーザが、操作を誤った、レベルチェッカーが故障しているなどと誤認識をしてしまうことを防止するための技術を提供すること。  【解決手段】デジタル信号における信号品質の測定機能の利用に際して、信号のフレーム同期の検出および測定画像の表示に必要な情報の取得を経て、測定画像が表示されるまでの間（ｓ１３０「ＹＥＳ」）、表示部１０に、測定画像の表示準備中である旨を通知するための表示がなされる（ｓ１２０〜ｓ１９０）。こうして、測定画像が表示されるのに時間を要しているだけということをユーザに識別させることができるため、ユーザが、操作を誤った、レベルチェッカー１が故障しているなどと誤認識をしてしまうことを防止できる。【選択図】図１６
2011160106.tif 000002
【特許請求の範囲】
【請求項１】
アンテナを介して信号を受信するチューナと、
ユーザ操作を受けて前記チューナによる信号の受信を開始させる受信開始手段と、
前記チューナによる信号の受信状況を示す測定画像を生成する画像生成手段と、
前記画像生成手段により生成された測定画像を表示部に表示させる画像表示手段と、
前記チューナによる信号の受信が開始された以降、該信号のフレーム同期の検出および前記測定画像の表示に必要な情報の取得を経て、前記測定画像が前記画像生成手段により生成されるまでの間、表示部に、前記測定画像の表示準備中である旨を通知するための表示を実施させる通知表示手段と、を備えている
ことを特徴とするレベルチェッカー。
【請求項２】
前記通知表示手段は、前記チューナによる信号の受信が開始されて以降、該信号のフレーム同期の検出ができなかった場合に、前記測定画像の表示準備中である旨を通知するための表示を終了させた後、信号が適切に受信できていない旨を通知するための表示を実施させる
ことを特徴とする請求項１に記載のレベルチェッカー。
【請求項３】
コンピュータに、
アンテナを介して信号を受信するチューナによる信号の受信を、ユーザ操作を受けて開始させる受信開始手順と、
前記チューナによる信号の受信状況を示す測定画像を生成する画像生成手順と、
前記画像生成手順にて生成された測定画像を表示部に表示させる画像表示手順と、
前記チューナによる信号の受信が開始された以降、該信号のフレーム同期の検出および前記測定画像の表示に必要な情報の取得を経て、前記測定画像が前記画像生成手順にて生成されるまでの間、表示部に、前記測定画像の表示準備中である旨を通知するための表示を実施させる通知表示手順と、
を実行させるためのプログラム。
【発明の詳細な説明】
【技術分野】
【０００１】
本発明は、アンテナを介して受信される信号の受信状況を示す画像を表示部に表示させるレベルチェッカーに関する。
【背景技術】
【０００２】
従来から、アンテナを介して受信される信号の受信状況を確認するために、その受信状況を示す測定画像を表示部に表示させるレベルチェッカー（地上デジタル放送測定システム）が用いられている（特許文献１参照）。
【先行技術文献】
【特許文献】
【０００３】
【特許文献１】特開２００６−３３１７３号
【発明の概要】
【発明が解決しようとする課題】
【０００４】
ただ、従来のレベルチェッカーでは、アンテナを介して受信される信号が検出されるまで表示部への表示がなされないため、例えば、デジタル信号の信号品質（コンスタレーション、遅延プロファイル、スペクトラムなど）を測定する場合のように取得するデータ数が多いケースにおいて、フレーム同期の検出を経て測定画像の表示がなされるまでに時間を要してしまう結果、ユーザが、操作を誤った、レベルチェッカーが故障しているなどと誤認識をしてしまうことがあった。
【０００５】
本発明は、このような課題を解決するためになされたものであり、その目的は、表示までに時間を要しているようなケースにおいても、ユーザが、操作を誤った、レベルチェッカーが故障しているなどと誤認識をしてしまうことを防止するための技術を提供することである。
【課題を解決するための手段】
【０００６】
上記課題を解決するため第１の構成（請求項１）に係るレベルチェッカーは、アンテナを介して信号を受信するチューナと、ユーザ操作を受けて前記チューナによる信号の受信を開始させる受信開始手段と、前記チューナによる信号の受信状況を示す測定画像を生成する画像生成手段と、前記画像生成手段により生成された測定画像を表示部に表示させる画像表示手段と、前記チューナによる信号の受信が開始された以降、該信号のフレーム同期の検出および前記測定画像の表示に必要な情報の取得を経て、前記測定画像が前記画像生成手段により生成されるまでの間、表示部に、前記測定画像の表示準備中である旨を通知するための表示を実施させる通知表示手段と、を備えている。
【０００７】
この構成における「測定画像の表示準備中である旨を通知するための表示」とは、例えば、特定のマーク、キャラクタやメッセージを表示部に表示させたり、これらを特定の表示パターンにて表示させたり、といったことが考えられる。
【０００８】
また、上記構成では、チューナによる信号の受信が開始されて以降、この信号のフレーム同期の検出および測定画像の表示に必要な情報の取得を経て、測定画像が表示されるまでの間、その経過時間に拘わらず、「測定画像の表示準備中である旨を通知するための表示」を行うようにすればよい。ただ、このような状況は、チューナの故障や該当する信号が存在していないなど、適切に信号を受信できていない可能性が高いということもできるため、その旨もユーザに通知できることが望ましい。
【０００９】
このためには、上記構成を以下に示す第２の構成（請求項２）のようにするとよい。
第２の構成において、前記通知表示手段は、前記チューナによる信号の受信が開始されて以降、該信号のフレーム同期の検出ができなかった場合に、前記測定画像の表示準備中である旨を通知するための表示を終了させた後、信号が適切に受信できていない旨を通知するための表示を実施させる。
【００１０】
この構成における「信号が適切に受信できていない旨を通知するための表示」とは、例えば、特定のマーク、キャラクタやメッセージを表示部に表示させたり、これらを特定の表示パターンにて表示させたり、といったことが考えられる。
【００１１】
また、上記課題を解決するため第３の構成（請求項３）に係るプログラムは、コンピュータに、アンテナを介して信号を受信するチューナによる信号の受信を、ユーザ操作を受けて開始させる受信開始手順と、前記チューナによる信号の受信状況を示す測定画像を生成する画像生成手順と、前記画像生成手順にて生成された測定画像を表示部に表示させる画像表示手順と、前記チューナによる信号の受信が開始された以降、該信号のフレーム同期の検出および前記測定画像の表示に必要な情報の取得を経て、前記測定画像が前記画像生成手順にて生成されるまでの間、表示部に、前記測定画像の表示準備中である旨を通知するための表示を実施させる通知表示手順と、を実行させるためのプログラムである。
【００１２】
このしたプログラムは、コンピュータシステムによる処理に適した命令の順番付けられた列からなるものであって、各種記録媒体や通信回線を介してレベルチェッカーや、これを利用するユーザ等に提供されるものである。
【発明の効果】
【００１３】
第１の構成に係るレベルチェッカーによれば、信号のフレーム同期の検出および測定画像の表示に必要な情報の取得を経て、前記測定画像が表示されるまでの間、表示部に、測定画像の表示準備中である旨を通知するための表示がなされるため、測定画像が表示されるのに時間を要しているということをユーザに識別させることができる。これにより、ユーザが、操作を誤った、レベルチェッカーが故障しているなどと誤認識をしてしまうことを防止できる。
【００１４】
また、第２の構成に係るレベルチェッカーによれば、信号のフレーム同期の検出ができなかった場合に、表示部に、信号を適切に受信できていない旨を通知するための表示がなされるため、適切に信号を受信できていない可能性をユーザに認識させることができる。
【００１５】
また、第３の構成に係るプログラムによれば、上記いずれかの構成に係るレベルチェッカーの一部を構成することができる。
【図面の簡単な説明】
【００１６】
【図１】レベルチェッカーの全体構成を示すブロック図
【図２】レベルチェッカー本体のフロントパネルを示す図
【図３】メニューを示す画像（ａ）およびメニュー構造を示す図
【図４】機能「アンテナ方向調整」を示す図（１／２）
【図５】機能「アンテナ方向調整」を示す図（２／２）
【図６】機能「レベル測定」を示す図（１／６）
【図７】機能「レベル測定」を示す図（２／６）
【図８】機能「レベル測定」を示す図（３／６）
【図９】機能「レベル測定」を示す図（４／６）
【図１０】機能「レベル測定」を示す図（５／６）
【図１１】機能「レベル測定」を示す図（６／６）
【図１２】機能「多チャンネル測定」を示す図（１／２）
【図１３】機能「多チャンネル測定」を示す図（２／２）
【図１４】機能「ＶＡ比の測定」を示す図
【図１５】機能「簡易テスター」を示す図
【図１６】測定処理の処理手順を示すフローチャート
【図１７】準備通知表示の状態を示す図
【発明を実施するための形態】
【００１７】
以下に本発明の実施形態を図面と共に説明する。
（１）全体構成
レベルチェッカー１は、アンテナ１００を介して受信される信号の受信状況を示す画像を表示部１０に表示させる装置であり、図１に示すように、表示部１０の他、表示部１０への画像の表示を制御する表示制御部２０、機器の制御や演算を行うマイコン３０、マイコン３０で実行するプログラムを格納するＲＯＭ７０、演算データの一時格納などを行うＲＡＭ８０、ユーザの操作を受け付ける操作部４０、アンテナ１００を介して信号を受信するチューナ５０、書き換え可能なメモリ６０などを備えている。
【００１８】
これらのうち、操作部４０は、図２に示すように、レベルチェッカー１本体のフロントパネル２に配置された各種ボタン類により構成されている。
（２）機能
続いて、操作部４０に対する操作を受けて実現される各種機能について説明する。
【００１９】
まず、レベルチェッカー１では、操作部４０における「メニュー」ボタンが押されると、表示部１０にメニュー画面が表示され（図３（ａ）参照）、各種機能それぞれの項目を選択可能な状態となる。本実施形態では、主に以下のような項目が選択可能となる。なお、本実施形態では、図３（ｂ）に示すようなメニュー構造となっている。
・アンテナ方向調整：レベルチェッカー１に接続されるアンテナ１００の方向を調整する際に用いる機能（図４，図５参照）。
・レベル測定：測定している放送の信号レベル、信号品質、映像、音声を確認する際に用いる機能（図６〜図１１参照）。
・多チャンネル測定：複数の信号それぞれの信号レベルを同時に確認する際に用いる機能（図１２，図１３参照）。
・ＶＡ比測定：ＶＨＦ，ＵＨＦ、ＣＡＴＶなどアナログ信号の映像、音声キャリア比を測定する際に用いる機能（図１４参照）。
・簡易テスター：フロントパネル２に配置されている入力端子それぞれに接続された経路における電源電圧を測定する際に用いる機能（図１５参照）。
（３）マイコン３０による測定処理
続いて、マイコン３０が上述した測定機能の利用時に実行される測定処理の処理手順を図１６に基づいて説明する。
【００２０】
この測定処理が開始されると、まず、測定機能の利用を開始するための操作が行われるまで待機状態となり（ｓ１１０：ＮＯ）、その後、その操作が行われたら（ｓ１１０：ＹＥＳ）、表示部１０に、測定画像の表示準備中である旨を通知するための表示（準備通知表示）がなされる（ｓ１２０）。本実施形態では、”砂時計”のキャラクタ２００を表示部１０に表示させることにより（図１７の左側参照）、測定画像の表示準備中である旨を通知するように構成されている。
【００２１】
次に、この時点で設定されている（サーチすべき）周波数帯域の信号の監視が開始され、その信号がチューナ５０により受信されているか（具体的にはフレーム同期の検出ができているか）否かがチェックされる（ｓ１３０）。
【００２２】
このｓ１３０にてフレーム同期の検出ができていないと判定された場合（ｓ１３０：ＮＯ）、上記ｓ１２０にて開始された準備通知表示が終了し（ｓ１４０）、表示部１０に、フレーム同期の検出ができていない旨を通知するための表示（エラー表示）がなされた後（ｓ１５０）、本測定処理が終了する。本実施形態では、その旨のメッセージを表示部１０に表示させることにより、信号が適切に受信できていない旨を通知するように構成されている。
【００２３】
また、上記ｓ１３０にてフレーム同期の検出ができていると判定された場合（ｓ１３０：ＹＥＳ）、測定画像を生成するのに充分な情報が取得されるまで待機状態となる（ｓ１６０：ＮＯ）。ここでは、チューナ５０により受信される信号を監視し、測定画像として一定期間分の波形を示す画像を生成するのに必要な単位時間の監視がなされたことをもって、「充分な情報が取得された」と判定される。
【００２４】
また、上記ｓ１６０にて充分な情報が取得されたと判定された場合に（ｓ１６０：ＹＥＳ）、単位時間の間に取得された情報に基づく測定画像の生成が開始され（ｓ１７０）、その生成が終了するまで待機状態となる（ｓ１８０：ＮＯ）。
【００２５】
そして、測定画像の生成が終了したら（ｓ１８０：ＹＥＳ）、上記ｓ１２０にて開始された準備通知表示が終了した後（ｓ１９０）、上記ｓ１７０〜ｓ１８０にて生成された測定画像が表示部１０に表示される（ｓ２００）（図１７の右側参照）。
【００２６】
こうして、ｓ１１０〜ｓ２００を終えた後は、上記ｓ１６０〜ｓ２００と同様の処理（ｓ２６０〜ｓ３００）が繰り返されることにより（ｓ３１０：ＮＯ）、単位時間が経過する毎に測定画像が生成、更新表示され、その後、測定処理を終了するための操作が行われたことをもって（ｓ３１０：ＹＥＳ）、本測定処理が終了する。
（３）作用，効果
このように構成されたレベルチェッカー１によれば、測定機能の利用に際し、信号のフレーム同期の検出ができてから測定画像が表示されるまでの間（図１６のｓ１３０「ＹＥＳ」）、表示部１０に、測定画像の表示準備中である旨を通知するための表示がなされる（同図ｓ１２０〜ｓ１９０）。こうして、測定画像が表示されるのに時間を要していることをユーザに識別させることができるため、ユーザが、操作を誤った、レベルチェッカー１が故障しているなどと誤認識をしてしまうことを防止できる。
【００２７】
また、上記構成であれば、デジタル信号における信号品質の測定機能の利用に際して、信号のフレーム同期の検出ができていない場合に準備通知表示を終了し（同図ｓ１４０）、表示部１０に、信号が適切に受信できていない旨を通知するためのエラー表示がなされるため（同図ｓ１５０）、適切に信号を受信できていない可能性をユーザに認識させることができる。
【００２８】
このような状況は、チューナ５０の故障や特定周波数帯域の信号が存在していないなど、適切に信号を受信できていない可能性が高いということもできるため、その旨をユーザに通知できることが望ましい。
（４）変形例
以上、本発明の実施の形態について説明したが、本発明は、上記実施形態に何ら限定されることはなく、本発明の技術的範囲に属する限り種々の形態をとり得ることはいうまでもない。
【００２９】
例えば、上記実施形態においては、「測定画像の表示準備中である旨を通知するための表示」として、特定のキャラクタ２００を表示部１０に表示させるように構成されている。しかし、「測定画像の表示準備中である旨を通知するための表示」として、特定のマーク、キャラクタやメッセージを特定の表示パターンで表示部１０に表示させることとしてもよい。
【００３０】
具体的な例としては、図５などに記載された「受信確認マーク」の表示、または、これが表示されていない状態を、「測定画像の表示準備中である旨を通知するための表示」とすることが考えられる。
【００３１】
また、上記実施形態では、「信号が適切に受信できていない旨を通知するための表示」としは、例えば、特定のマーク、キャラクタやメッセージを表示部に表示させたり、これらを特定の表示パターンにて表示させたり、といったことが考えられる。
（５）本発明との対応関係
以上説明した実施形態において、図１６のｓ１１０が本発明における受信開始手段であり、同図ｓ１７０，ｓ２０が本発明における画像生成手段であり、同図ｓ２００，ｓ３００が本発明における画像表示手段であり、同図ｓ１２０，ｓ１４０〜ｓ１５０，ｓ１９０が本発明における通知表示手段である。
【符号の説明】
【００３２】
１…レベルチェッカー、２…フロントパネル、１０…表示部、２０…表示制御部、３０…マイコン、４０…操作部、５０…チューナ、６０…メモリ、７０…ＲＯＭ、８０…ＲＡＭ、１００…アンテナ、２００…キャラクタ。
【図１】
2011160106.tif 000003
【図３】
2011160106.tif 000004
【図９】
2011160106.tif 000005
【図１３】
2011160106.tif 000006
【図１６】
2011160106.tif 000007
【図１７】
2011160106.tif 000008
【図２】
2011160106.tif 000009
【図４】
2011160106.tif 000010
【図５】
2011160106.tif 000011
【図６】
2011160106.tif 000012
【図７】
2011160106.tif 000013
【図８】
2011160106.tif 000014
【図１０】
2011160106.tif 000015
【図１１】
2011160106.tif 000016
【図１２】
2011160106.tif 000017
【図１４】
2011160106.tif 000018
【図１５】
2011160106.tif 000019